(57)【特許請求の範囲】
【請求項１】
直径Ａからなる二本のワイヤロープをクロス状態に締結する使用と、前記ワイヤロープ径とは異なる直径Ｂからなる二本のワイヤロープをクロス状態に締結する使用の両方の使用が可能な締結金具であって、
前記締結金具は相互に略平面状の対向面を有する受け金具と押え金具との間に二本のワイヤロープをクロス状に挟持するものであって、受け金具は直径Ａ又はＢからなる一方のワイヤロープを配置する凹溝を有し、
押え金具は他方のワイヤロープを配置するものであって、且つ一方の片面に直径Ａからなるワイヤロープを配置する第一凹溝と他方の片面に直径Ｂからなるワイヤロープを配置する第二凹溝を有し、
前記受け金具と押え金具との間に二本のワイヤロープをクロス状に配置し、
前記受け金具と押え金具との対向面に直交する方向にボルト等の締結具を挿通し、相互の対向面が当接する状態に締結すると、二本のワイヤロープに所定の締め付け力が生じるようになっていることを特徴とするワイヤロープのクロス締結金具。
【請求項２】
前記押え金具の第一凹溝を有する一方の片面を受け金具に対向させて直径Ａからなる二本のワイヤロープをクロス状態に締結する場合と、
前記押え金具の第二凹溝を有する他方の片面を受け金具に対向させて直径Ｂからなる二本のワイヤロープをクロス状態に締結する場合とにて、
ワイヤロープＡ及びＢの直径に対応した寸法に換えるための寸法調整突部又は凹部を前記受け金具と押え金具の対向面に有することを特徴とする請求項１記載のワイヤロープのクロス締結金具。
【請求項３】
二本のワイヤロープを締結するとともに地面側に固定できるアンカー機能を有することを特徴とする請求項１又は２記載のワイヤロープのクロス締結金具。
【発明の詳細な説明】
【技術分野】
【０００１】
本発明は交差する二本のワイヤロープをその交差部で相互に締結固定したり、さらに地面側に固定できるワイヤロープのクロス締結金具に関する。
【背景技術】
【０００２】
傾斜地の崩壊や浮き石の落下等を未然に防ぐ工法として縦横に張り巡らしたワイヤネットで傾斜地の安定化を図る方法が知られている。
この場合に縦方向のワイヤロープと横方向のワイヤロープの交差部を締結したり、さらにはこの交差部を地面側に固定するアンカー機能が要求される。
特許文献１は受け座金と押え座金との対向面に形成したワイヤロープを通すロープ溝の長手方向中央部に、その内側面から突出する突出部を形成することでワイヤロープが伸びにより細く変形しても回転や滑りを防止し、安定保持する金具を開示する。
特許文献２は受け金具と押え金具との間に形成した凹溝の内周面にワイヤロープのストランド間に食い込む先鋭突起を設けた金具を開示する。
これらいずれの公報に開示する金具もワイヤロープのずれを防止する点では優れているが、ワイヤロープの径に応じた専用の金具となり、ワイヤロープの径がそれと相異すると、もはや使用できないものであった。
例えばワイヤネットの許容荷重によって直径φ１２ｍｍのワイヤロープと直径φ１４ｍｍのワイヤロープとが使い分けされていて、上記のような専用金具ではこれらのワイヤロープ径に応じてそれぞれ製作及び選択使用する必要があった。
【先行技術文献】
【特許文献】
【０００３】
【特許文献１】特許第４０５７９６５号公報
【特許文献２】特開２００８−８０９３号公報
【発明の概要】
【発明が解決しようとする課題】
【０００４】
本発明は二本のワイヤロープを受け金具と押え金具との間に挟み込むようにクロス締結する場合に、受け金具又は押え金具を裏返すことで直径が相異するワイヤロープにも使用可能なワイヤロープのクロス締結金具の提供を目的とする。
【課題を解決するための手段】
【０００５】
本発明に係るワイヤロープのクロス締結金具は、直径Ａからなる二本のワイヤロープをクロス状態に締結する使用と、前記ワイヤロープ径とは異なる直径Ｂからなる二本のワイヤロープをクロス状態に締結する使用の両方の使用が可能な締結金具であって、前記締結金具は受け金具と押え金具との間に二本のワイヤロープをクロス状に挟持するものであって、受け金具は直径Ａ又はＢからなる一方のワイヤロープを配置する凹溝を有し、押え金具は他方のワイヤロープを配置するものであって、且つ一方の片面に直径Ａからなるワイヤロープを配置する第一凹溝と他方の片面に直径Ｂからなるワイヤーロープを配置する第二凹溝を有することを特徴とする。
【０００６】
ここで受け金具と押え金具は、二枚の金具の対向面にそれぞれの金具に対してワイヤロープを一本ずつ配置する溝をそれぞれ有する金具の組み合せであることを意味し、説明の便宜上、一方を受け金具、他方を押え金具と表現する。
【０００７】
本発明は、受け金具と押え金具との間に二本のワイヤロープをクロス状に配置し、前記受け金具と押え金具との対向面が当接する状態に前記両方の金具をボルト等の締結具で締結すると、二本のワイヤロープに所定の締め付け力が生じるようになっているのが好ましい。
従来の締結金具にあっては、ワイヤロープの締め付け力を管理するのに現場でトルク計を用いてその都度、締結力を測定しながらボルト及びナット等の締め付け量の調整を行っていたが、それでは大変な作業になる。
これに対して本発明は、予め受け金具及び押え金具に形成した凹溝の深さをワイヤロープの締め付け力を考慮した寸法に設定することで、受け金具と押え金具との対向面が当接するまでボルト等の締結具を締めるだけで予定の締結力が得られる。
【０００８】
本発明は、押え金具の両面にワイヤロープを通す凹溝を形成することでこの押え金具を裏返し、直径の相異するワイヤロープに対して用いることができる点に特徴があり、凹溝の形成方法に特に制限はないが、押え金具の第一凹溝を有する一方の片面を受け金具に対向させて直径Ａからなる二本のワイヤロープをクロス状態に締結する場合と、前記押え金具の第二凹溝を有する他方の片面を受け金具に対向させて直径Ｂからなる二本のワイヤロープをクロス状態に締結する場合とにて、ワイヤロープＡ及びＢの直径に対応した寸法に換えるための寸法調整突部又は凹部を前記受け金具と押え金具の対向面に有するようにするのが好ましい。
【０００９】
本発明に係るクロス締結金具はワイヤロープの交差部を締結するいわゆるクロスクリップとしての使用の他に、二本のワイヤロープを締結するとともに地面側に固定できるアンカー機能を有するようにすることもできる。
この場合に受け金具と押え金具とを二本のボルト・ナットで締結するうちの一方のボルトにアンカー機能を持たせてもよく、両方のボルト・ナットの間に別のプレート体を共締めし、このプレート体にアンカー機能を持たせてもよい。
【発明の効果】
【００１０】
本発明に係るワイヤロープのクロス締結金具にあっては、一組の受け金具と押え金具とを用いて、押え金具の受け金具に対する対向面を裏返し選択するだけで異なるワイヤロープ径に対して対応可能であるために便利であり、金具の在庫管理が容易になるメリットもある。
また、受け金具と押え金具の対向面が当接するように締め付けるだけで所定の締結力が得られるので目視で適正な締め量が確認できるので、現場での作業性に優れる。
【図面の簡単な説明】
【００１１】
【図１】本発明に係るクロス締結金具の構造例を示す。（ａ），（ｂ），（ｃ）は押え金具の平面図、側面図、及び底面図をそれぞれ示し、（ｄ），（ｅ），（ｆ）は受け金具の平面図、側面図、及び底面図をそれぞれ示す。
【図２】直径Ａからなるワイヤロープを締結した状態を示す。（ａ）は受け金具と押え金具の重ね合せ状態を示し、（ｂ）は二本のワイヤロープを締結した側面図、（ｃ）はそれを上から見た状態を示す。
【図３】直径Ｂからなるワイヤロープを締結した状態を示す。（ａ）は押え金具を裏返して受け金具に重ね合せた状態を示し、（ｂ），（ｃ）は２本のワイヤロープを締結した状態を示す。
【図４】クロス締結金具にアンカープレートを連結した例を示す。
【発明を実施するための形態】
【００１２】
本発明に係るワイヤロープのクロス締結金具の構造例を以下、図面に基づいて説明する。
クロス締結金具１００は、図２及び図３に示すように受け金具１０と押え金具２０との間に二本のワイヤロープを挟み込み、ボルト・ナット３０にて締め付ける構造になっている。
二本のワイヤロープは直径Ａｍｍからなるワイヤロープの組み合せと、直径Ｂｍｍからなるワイヤロープの組み合せの両方に適用できる。
例えば具体例として、Ａ＝１２ｍｍ，Ｂ＝１４ｍｍのワイヤロープの例で以下説明するが、本発明はこの直径のワイヤロープに限定されるものではない。
【００１３】
図１に示すように受け金具１０は押え金具２０との対向面１４に凹溝１１を有する。
本実施例では、受け金具に対して斜めに横切るように形成した断面略Ｕ字形状の凹形状の凹溝１１となっているとともに対向面１４にこの凹溝１１とは直交するように高さｄｍｍからなる寸法調整突部１２を有する。
寸法調整突部１２の形状は本実施例のように複数の突部にしてもよく、長手方向に帯状の突部にしてもよく、形状に限定はない。
これに対して押え金具２０は一方の片面となる第一対向面２５ａに、受け金具１０の寸法調整突部１２が内側に突出するように第一凹溝２１を有する。
押え金具２０は裏返すと、他方の片面となる第二対向面２５ｂに第一凹溝２１と同方向の第二凹溝２２を有するとともに深さｄｍｍであって、寸法調整突部１２が入り込む寸法調整凹部２３を有する。
受け金具１０及び押え金具２０は対応したボルトを挿通するための締結孔１３ａ，１３ｂ，２４ａ，２４ｂを左右の二ヶ所に有する。
本実施例では凹溝１１の深さを締め付け量を考慮した約Ａ＝１２ｍｍの深さに設定するとともに複数の突起１１ａをこの凹溝１１の底部に沿って設けてある。
これに対して押え金具２０の第一凹溝２１の深さは約Ａ＋ｄ＝１４ｍｍに設定するとともに複数の突起２１ａをこの第一凹溝２１の底部に沿って設けてある。
従って、凹溝１１及び第一凹溝２１に直径Ａｍｍからなるワイヤロープ１Ａを二本それぞれ通し、ボルト・ナット３０にて締結すると図２に示した状態になる。
第一凹溝２１の深さが約Ａ＋ｄ＝１４ｍｍの深さになっているので、この第一凹溝２１の内側に高さｄからなる寸法調整突部１２が入り込み、受け金具１０の対向面１４と押え金具２０の対向面２５ａとが当接するまでボルト・ナットを締め付けると二本のワイヤロープ１Ａに所定の適正な締結力が作用する。
【００１４】
直径Ｂｍｍからなるワイヤロープをクロス状態に締結する場合、押え金具２０を裏返すと第二凹溝２２が凹溝１１とクロスするように受け金具の対向面１４と対向する。
従って、受け金具１０の寸法調整突部１２が押え金具の第二凹溝２２に入り込むことになる。
よって、第二凹溝２２の深さを約Ｂ＋ｄ＝１６ｍｍに設定すれば、第二凹溝２２の底部と寸法調整突部１２との間の寸法が約Ｂｍｍになり、凹溝１１の底部と寸法調整凹部２３の底部との間の寸法が約Ａ＋ｄ＝Ｂｍｍとなる。
このような状態に直径Ｂｍｍからなる二本のワイヤロープ１Ｂをクロス状態に締結したのが図３に示す状態である。
【００１５】
図１に示した実施例は凹溝１１の深さを約Ａ＝１２ｍｍに設定した場合であったが、約Ｂ＝１４ｍｍに設定することも可能である。
その場合には第一凹溝２１の深さはそのままでよいが、第二凹溝２２の深さを約Ａｍｍ＝１２ｍｍに設定し、寸法調整凹部２３を逆に高さｄ＝２ｍｍの突部にすることになる。
なお、押え金具２０の両面に凹溝を設けたように受け金具１０の両面に深さの異なる凹溝を設けることで、Ａ，Ｂ両方のワイヤロープに対応することも可能であるが、その場合には受け金具１０の厚みも厚くなり、クロス締結金具全体の重量が重くなる。
本実施例では押え金具２０の厚みＴ２＝３０ｍｍに対して、受け金具１０の厚みＴ１＝２０ｍｍと受け金具１０は片面のみに凹溝を形成したので、その分だけ押え金具２０よりも薄く軽量化できた。
【００１６】
本発明に係るクロス締結金具１００は二本のワイヤロープを交差部で締結する金具として使用できるとともに一方のボルトの先端を長くし、アンカー機能を付与したアンカーボルト３１にしてもよい。
また、図４に示すようにアンカー用のプレート４０を連結し、このプレートにアンカーボルト４１を取り付けることもできる。
このようにアンカープレートを連結すると、クロス締結金具の締結孔の径を大きくすることなく、径の大きいアンカーボルト等を連結することができる。
また、本実施例では押え金具２０側にボルトの共廻り止め用の突部２６ａ〜２６ｄを形成した例になっている。
【符号の説明】
【００１７】
１０        受け金具
１１        凹溝
１２        寸法調整突部
１３ａ      締結孔
１３ｂ      締結孔
１４        対向面
２０        押え金具
２１        第一凹溝
２２        第二凹溝
２３        寸法調整凹部
２４ａ      締結孔
２４ｂ      締結孔
２５ａ      第一対向面
２５ｂ      第二対向面
１００      クロス締結金具
【図１】
0005856457.tif 000002
【図２】
0005856457.tif 000003
【図３】
0005856457.tif 000004
【図４】
0005856457.tif 000005